(57)【要約】      （修正有）【課題】衿元がゴワ付くことなくすっきりと着用することができ、また、上衣を着用する際に結び紐がしっかりと結べていなくても着崩れることなく着用でき、さらに、夏の暑いときでも涼しく着用することが可能な道着を提供する。【解決手段】袖無しの羽織１０と、羽織１０に縫着された内側前身頃３０とを備え、内側前身頃３０は、羽織１０の開口した袖付け部１０ａ、１０ａを内側から通り抜けるようにして筒状の左右の袖３１ａ、３１ｂが縫着されると共に、内側前身頃３０の繰り越し部及び肩山部並びに左右の袖の後ろ側の袖付部を羽織１０に縫着することにより一体化した道着１において、前身頃の衿部は、前身頃の下端部に至るまで折り返しによって形成された第一の衿部と、第一の衿部の内側に縫着された第二の衿部であって、第一の衿部の端縁から略同じ幅で外側に出るようにして縫着された第二の衿部とを備えて道着を構成する。【選択図】図１
0003154107.tif 000002
【実用新案登録請求の範囲】
【請求項１】
袖無しの羽織と、前記羽織に縫着された内側前身頃とを備え、前記内側前身頃は、前記羽織の開口した袖付け部を内側から通り抜けるようにして筒状の左右の袖が縫着されると共に、当該内側前身頃の繰り越し部及び肩山部並びに前記左右の袖の後ろ側の袖付部を前記羽織に縫着することにより一体化した道着において、
前記内側前身頃の衿部は、当該内側前身頃の下端部に至るまで折り返しによって形成された第一の衿部と、
前記第一の衿部の内側に縫着された第二の衿部であって、前記第一の衿部の端縁から略同じ幅で外側に出るようにして縫着された第二の衿部と、
を備えてなることを特徴とする道着。
【請求項２】
請求項１に記載の道着において、
前記第二の衿部を複数備え、下側の衿部は上側の衿部の端縁から略同じ幅で外側に出るようにして前記第一の衿部に縫着されてなることを特徴とする道着。
【請求項３】
請求項１又は２に記載の道着において、
前記第二の衿部は１．５〜２．５ｃｍであることを特徴とする道着。
【請求項４】
請求項１から３のいずれか１項に記載の道着において、
一端に取付具を備えた伸縮自在のベルトの他端側を前記内側前身頃のうち右側の前身頃に取り付けてなり、前記ベルトを着用者の胴部に巻き付けるようにして周回させた後、前記取付具を前記内側前身頃のうち左側の前身頃に着脱可能に固定することによって着崩れを防止したことを特徴とする道着。
【請求項５】
請求項１から４に記載の道着において、
前記左右の袖の袖口下部から前記羽織の脇線に沿って当該羽織の裾部に至るまで連続して所定幅のメッシュ部が設けられていることを特徴とする道着。
【考案の詳細な説明】
【技術分野】
【０００１】
本考案は、道着に関し、さらに詳しくは上衣の衿に重ね着を演出する機能を備えた道着に関する。
【背景技術】
【０００２】
和服は、古くから日本人にとっては馴染みの深いものであるが、今日では生活の洋風化に伴い日常着用されることが少なくなってきた。その原因として、生活が洋風化したこと、和服の価格が高価であること、機能性に劣ること、さらに着用に際しては着付けが難しい、などの点を挙げることができる。そのため、今日では、和服が着用されるのは、成人式や結婚式、または、夏のゆかた等に限られていた。
【０００３】
このような状況の中、一方では和文化が見直されつつあり、和服に機能性を加えると共に気軽に着ることができれば、和服の普及に関して大きな助けとなる。また、比較的安価な和服の出現が望まれるようにもなってきた。その一例として、従来禅宗の僧侶の作業用の衣服であった作務衣（さむえ）の一般への普及がある。作務衣は、全体がゆったりしており、体にフィットすることを特徴とするスーツ類に比べ体への締めつけ感がないことからくつろぎ着、家庭着として適しており、さらに藍染め地等の使用により、レトロ趣味を満足させること等から普及してきたものである。しかしながら、昨今では作務衣が正式の場にも用いられ、ひんしゅくを買っている。それは、作務衣が農作業等の作業着であり、改まった場では失礼となるからである。その点、道着は帯に袴の紐結びをつけているので正式の場でも通用する。また、道着は通気性及び保温性に優れ、必要以上の空調の使用を抑制することができるため地球温暖化防止にも効果がある。
【０００４】
そのため、動き易さや着用の容易さから上衣部分の道着と下衣部分の袴等とに分離した和服が提案されたが、これまでの上下を分離した和服にあっては、上衣は一重だけのものが一般的であったため、冬場の寒い時期などにはさらに羽織やチョッキ（ベスト）のようなものを羽織る必要があった。一方、重ね着はそのような実用面の他にも、おしゃれを楽しむために行われることもある。すなわち、重ね着をする場合に最上衣の着物の衿元からその内側に着用した着物の衿が僅かに覗くようにして着用することで衿の色の配色を好みのものコーディネートし、それによっておしゃれを楽しむことができる。
【先行技術文献】
【特許文献】
【０００５】
【特許文献１】特開２０００−３５５１０５号公報
【考案の概要】
【考案が解決しようとする課題】
【０００６】
特許文献１の道着にあっては、上衣の衿の内側に適宜の数の面ファスナーを取り付けると共に、この面ファスナーに着脱可能な着脱衿を交換可能に取り付ける構成としたので、着脱衿を自分の好みの色や最上衣の色に合わせた色などの適宜の衿に交換することによって、あたかも重ね着をしているように見せつつ、自分なりのおしゃれを楽しむことができるようになった。
【０００７】
しかしながら、面ファスナーや、ボタンなどの取付部材を介して衿を交換可能にした場合、衿元に厚みが出てゴワついて首のまわりの着用感が良くないという問題があった。特に、上衣の衿の首回りに沿って面ファスナーを縫着すると共に、着脱衿側にもそれに対応する面ファスナーを取り付けた場合には面ファスナー自体がしなやかさに欠けるため首のまわりが硬くゴワ付く感じとなってしまう。また、面ファスナーを衿の内側の何カ所かに分けて取り付けた場合、面ファスナーと接着していない部分の着脱衿の部分が浮いてしまったり、ずれてしまうという問題があった。着脱衿が上衣の衿の内側にしっかりと固定されていないと見た目にも良くなく、せっかくのおしゃれが台無しになってしまう。
【０００８】
また、特許文献１の道着にあっては、上衣は衿もとを整えた後、結び紐を結ぶことによって着用を完了するようになっているが、結び紐がきちんと結べていないと着崩れを起こしやすく、衿元がはだけた状態となってだらしない印象を与えてしまうという問題があった。
【０００９】
さらに、夏場などに着用した場合には暑さのために衿元を広げたくなるが、そのような着方はだらしなく、見た目にも良くない。そのため、夏場の暑い時期でも涼しく直できる道着が望まれていた。
【００１０】
そこで、本考案の目的は、衿元がゴワ付くことなくすっきりと着用することができる道着を提供することを目的とする。
【００１１】
また、本考案は、上衣を着用する際に、結び紐がしっかりと結べていなくても着崩れることなく着用でき、衿元もすっきりと見せることが可能な道着を提供することを目的とする。
【００１２】
さらに、本考案は、夏の暑いときでも涼しく着用することが可能な道着を提供することを目的とする。
【課題を解決するための手段】
【００１３】
上記目的を達成するため、請求項１に記載の本考案は、袖無しの羽織と、羽織に縫着された内側前身頃とを備え、内側前身頃は、羽織の開口した袖付け部を内側から通り抜けるようにして筒状の左右の袖が縫着されると共に、内側前身頃の繰り越し部及び肩山部並びに左右の袖の後ろ側の袖付部を羽織に縫着することにより一体化した道着において、内側前身頃の衿部は、内側前身頃の下端部に至るまで折り返しによって形成された第一の衿部と、第一の衿部の内側に縫着された第二の衿部であって、第一の衿部の端縁から略同じ幅で外側に出るようにして縫着された第二の衿部とを備えてなることを特徴とする。
【００１４】
上記目的を達成するため、請求項２に記載の本考案は、請求項１に記載の道着において、第二の衿部を複数備え、下側の衿部は上側の衿部の端縁から略同じ幅で外側に出るようにして第一の衿部に縫着されてなることを特徴とする。
【００１５】
上記目的を達成するため、請求項３に記載の本考案は、請求項１又は２に記載の道着において、第二の衿部は１．５〜２．５ｃｍであることを特徴とする。
【００１６】
上記目的を達成するため、請求項４に記載の本考案は、請求項１から３のいずれか１項に記載の道着において、一端に取付具を備えた伸縮自在のベルトの他端側を内側前身頃のうち右側の前身頃に取り付けてなり、ベルトを着用者の胴部に巻き付けるようにして周回させた後、取付具を内側前身頃のうち左側の前身頃に着脱可能に固定することによって着崩れを防止したことを特徴とする。
【００１７】
上記目的を達成するため、請求項５に記載の本考案は、請求項１から４に記載の道着において、左右の袖の袖口下部から羽織の脇線に沿って羽織の裾部に至るまで連続して所定幅のメッシュ部が設けられていることを特徴とする。
【考案の効果】
【００１８】
本考案に係る道着によれば、第一の衿部の内側に第二の衿部を縫着したので、重ね着を演出しつつ衿元がゴワ付くことなくすっきりと着用することができるという効果がある。また、第二の衿部は複数設けることもできるので、適宜の色をコーディネートすることでおしゃれを楽しむことができるという効果がある。
【００１９】
また、本考案に係る道着によれば、伸縮自在のベルトを設ける事としたので、上衣を着用する際に、結び紐がしっかりと結べていなくても着崩れることなく着用でき、衿元もすっきりと見せることができるという効果がある。
【００２０】
さらに、本考案に係る道着によれば、左右の袖の袖口下部から羽織の脇線に沿って羽織の裾部に至るまで連続して所定幅のメッシュ部を設けたので夏の暑いときでも涼しく着用することができるという効果がある。
【図面の簡単な説明】
【００２１】
【図１】本考案に係る道着の正面図である。
【図２】図１の道着と下衣を合わせた状態の正面図である。
【図３】図１の道着の背面図である。
【図４】第一の衿部及び第二の衿部を示す拡大図である。
【図５】（ａ）は羽織の前身頃のうち右側の前見頃の正面図、（ｂ）は羽織の前身頃のうち左側の前見頃の正面図である。
【図６】ベルトを巻いた状態を示す説明図である。
【考案を実施するための形態】
【００２２】
本考案に係る道着について図面を参照しつつ以下詳細に説明する。図１は本考案に係る道着の正面図、図２は図１の道着と下衣を合わせた状態の正面図である。図示された道着１は、下衣２と共に着用されるものであり、道着１は、概略として、袖無しの羽織１０と、羽織１０に縫着された内側前身頃３０とを備えて構成される。内側前身頃３０には、羽織１０の開口した左右の袖付け部１０ａ、１０ｂを内側から外側に向かって通り抜けるようにして配置された筒状の左右の袖３１ａ、３１ｂが縫着されると共に、内側前身頃３０の繰り越し部３３及び左右の肩山部３４ａ、３４ｂ並びに左右の袖３１ａ、３１ｂの袖付部３２ａ、３２ｂの後ろ側を羽織１０の左右の袖付け部１０ａ、１０ｂに縫着することによって羽織１０と内側前身頃３０とが一体化されている。尚、ここでいう左右とは、着用者が道着１を着用した場合における左右とする。
【００２３】
羽織１０には袖が無く、羽織１０の袖付け部１０ａ、１０ａは開口された状態となっており、内側前身頃３０に縫着された袖３１ａ、３１ｂはこの開口された袖付け部１０ａ、１０ａを挿通させる共に、図３に示すように、袖付部３２ａ、３２ｂに縫着されて一体化されている。また、羽織１０の左右の前身頃１２ａ、１２ｂには、それぞれ結び紐１３ａ、１３ｂが縫着されており、結び紐１３ａ、１３ｂを結ぶことによって道着１の着付けを完了させる。
【００２４】
内側前身頃３０は、左側前身頃３０ａと右側前身頃３０ｂによって構成されており、内側前身頃３０には、内側前身頃３０の下端部に至るまでの長さにわたって縁部を折り返すことによって形成された第一の衿部３５が形成されている。そして、第一の衿部３５の内側にはさらに第二の衿部３６縫着されており、第二の衿部３６は第一の衿部３５の端縁から略同じ幅で少し外側に出るようにして縫着されている（図４参照）。これにより、第一の衿部３５のラインに沿ってその下側から第二の衿部３６が細い幅で僅かに覗くので重ね着をしたように見える。
【００２５】
そして、本実施形態では第二の衿部３６の内側にさらにもう一つの下側衿部３７が縫着されており、下側衿部３７は上側の衿部である第二の衿部３６の端縁から略同じ幅で外側に出るようにして配置されている。第二の衿部３６及び下側衿部３７の出幅は概略３〜７ｍｍであると見た目にも美しく見える。この第二の衿部３６及び下側衿部３７の色をグレーや鶯色などの適宜の色をコーディネートすることで重ね着風のおしゃれを楽しむことができる。また、第二の衿部３６及び下側衿部３７の幅サイズは約１．５〜２．５ｃｍであることが好ましい。あまり幅サイズが大きいと生地の重なりが多くなりゴワ付き感が出る一方、それより幅サイズが狭いと縫製などの作業性が悪くなる。第二の衿部３６及び下側衿部３７が第一の衿部３５に縫着されているので従来のように内側前身頃３０衿の裏側及び替衿に面ファスナーを取り付ける必要がないのでゴワ付くことなくすっきりとした着心地となる。ここで、第二の衿部３６は一つに限らず他の第二の衿部３６、すなわち、下側衿部３７を複数枚重ね合わせることも可能である。これにより多数の重ね着したような演出をすることができる。
【００２６】
右側前身頃３０ｂの合わせ側の端縁部には、一端に取付具４１を備えた伸縮自在のベルト４０の他端側が取り付けられている。このベルト４０を着用者の胴部に巻き付けるようにして背中側を通って周回させた後、取付具４１を左側前身頃３０ａの合わせ側の端縁部に着脱可能に固定することによって内側前身頃３０及び羽織１０を身体にフィットさせる。これによって結び紐１３ａ、１３ｂがきちんと結ばれていない場合であっても着崩れを効果的に防止することができる。ベルト４０は、例えば、ゴムによって伸縮可能とすると共に、長さの調整ができるようにしておくことが好ましい。着用者の体型に合わせることができるからである。また、取付具４１は、着脱可能な機構を備えていれば特に限定するものではないが、生地を留めるものなので挟持部にはゴムなどのクッション材を設けておくことが好ましい。尚、左側前身頃３０ａと右側前身頃３０ｂの衿の合わせ部にそれぞれ図示しない面ファスナーを縫着しておけば、着用した際に左側前身頃３０ａと右側前身頃３０ｂに取り付けられた図示しない面ファスナーを接着させることで衿元がはだけずにきちんと着用することができる。
【００２７】
左右の袖３１ａ、３１ｂは、夏物の場合は裏地を付けず、短くし、例えば、７分袖にするとよい。また、冬物に場合は裏地を付けて長袖にするとよい。さらに、本実施形態では、左右の袖３１ａ、３１ｂの袖口下部から羽織１０の脇線に沿って羽織１０の裾部に至るまでの長さにわたって連続して所定幅のメッシュ部２１ａ、２１ｂがそれぞれ設けられている。これにより、熱が左右のメッシュ部２１ａ、２１ｂから放出されるので暑い夏期に道着１を着用した場合でも快適に着用することができる。
【００２８】
羽織１０の左右の前身頃１２ａ、１２ｂの裾部分には返し１４が設けられている。また、羽織１０の左右の前身頃１２ａ、１２ｂの表側には洋服の上衣に有るようなポケット１７ａ、１７ｂが設けられると共に、割付１８ａ、１８ｂが設けられている。さらに、羽織１０の左右の前身頃１２ａ、１２ｂの裏側の胸部分には内ポケット１９ａ、１９ｂが設けられると共に、左側の前身頃１２ａ身ごろの裏側下方には小さな袋１９ｃが設けられており、時計や小物などを入れることができるようになっている。尚、羽織１０の左右の前身頃１２ａ、１２ｂの裏地をメッシュ布などの通気性の良い素材によって縫製すれば軽量で、夏場にも涼しく着用することができる。
【００２９】
上述したような道着１は、図２に示す下衣２と共に着用することで一体感のある和風の衣服となる。下衣２は、ズボン様をなし、腰周りには伸縮部材であるゴム等が挿入されており、着用者の体型にフィットするようになっている。下衣２の腹部近傍には帯紐２５が縫着されており、帯紐２５の中央部分には結び目２５ａが形成されている。帯紐２５の両末端の裏側には図示しない面ファスナーが縫着されており、これと接合される図示しない面ファスナーが下衣２の腹部近傍に取り付けられている。また、下衣２には左右の前側ポケット２６ａ、２６ｂ及び図示しない後側ポケットが設けられている。
【００３０】
上述した道着１によれば、洋服のジャケットを着る感覚で簡単に着用することができ、従来の和服のように着用に際して面倒な身繕いは不要である。すなわち、左右の袖３１ａ、３１ｂに腕を通して道着１を羽織り、左側前身頃３０ａと右側前身頃３０ｂにそれぞれ取着された図示しない面ファスナーを重ねて接着させて衿元を整え、ベルト４０を着用者の胴部を回して取付具４１を左側前身頃３０ａの合わせ側の端縁部に固定する。そして、結び紐１３ａ、１３ｂを結ぶことで道着１の着用を完了する。このとき羽織１０の第二の衿部３６及び下側衿部３７があたかも重ね着をしたように見える。他方、下衣２に両足を通して着用すれば腰周りには伸縮部材であるゴム等が挿入されているので着用者の体型にフィットして簡単に着用することができる。
【００３１】
以上のように、本考案の好ましい実施形態について詳述したが、本考案は上述した特定の実施形態に限定されるものではなく、実用新案登録請求の範囲に記載された本考案の範囲内において、種々の変形・変更が可能であることはいうまでもない。
【符号の説明】
【００３２】
１      道着
２      下衣
１０      羽織
１０ａ、１０ａ      袖付け部
１２ａ、１２ｂ      羽織の前身頃
１３ａ、１３ｂ      結び紐
１４      返し
１７ａ、１７ｂ      ポケット
１８ａ、１８ｂ      割付
１９ａ、１９ｂ      内ポケット
１９ｃ      袋
２１ａ、２１ｂ      メッシュ部
３０      内側前身頃
３０ａ      左側前身頃
３０ｂ      右側前身頃
３１ａ、３１ｂ      袖
３２ａ、３２ｂ      袖付部
３３      繰り越し部
３４ａ、３４ｂ      肩山部
３５      第一の衿部
３６      第二の衿部
３７      下側衿部
４０      ベルト
４１      取付具
【図１】
0003154107.tif 000003
【図２】
0003154107.tif 000004
【図３】
0003154107.tif 000005
【図４】
0003154107.tif 000006
【図５】
0003154107.tif 000007
【図６】
0003154107.tif 000008
【手続補正書】
【提出日】平成21年7月29日(2009.7.29)
【手続補正１】
【補正対象書類名】実用新案登録請求の範囲
【補正対象項目名】請求項３
【補正方法】変更
【補正の内容】
【請求項３】
請求項１又は２に記載の道着において、
前記第二の衿部の幅サイズは１．５〜２．５ｃｍであることを特徴とする道着。
【手続補正２】
【補正対象書類名】実用新案登録請求の範囲
【補正対象項目名】請求項５
【補正方法】変更
【補正の内容】
【請求項５】
請求項１から４のいずれか１項に記載の道着において、
前記左右の袖の袖口下部から前記羽織の脇線に沿って当該羽織の裾部に至るまで連続して所定幅のメッシュ部が設けられていることを特徴とする道着。
【手続補正３】
【補正対象書類名】明細書
【補正対象項目名】００１５
【補正方法】変更
【補正の内容】
【００１５】
上記目的を達成するため、請求項３に記載の本考案は、請求項１又は２に記載の道着において、第二の衿部の幅サイズは１．５〜２．５ｃｍであることを特徴とする。
【手続補正４】
【補正対象書類名】明細書
【補正対象項目名】００１７
【補正方法】変更
【補正の内容】
【００１７】
上記目的を達成するため、請求項５に記載の本考案は、請求項１から４のいずれか１項に記載の道着において、左右の袖の袖口下部から羽織の脇線に沿って羽織の裾部に至るまで連続して所定幅のメッシュ部が設けられていることを特徴とする。